(57)【要約】【課題】    容器を運搬する過程中に容器内に収納された液体の振動を吸収して、液体の滲出を防止し、また容器から流出した液体の流量を制御する流動制御及び振動吸収密封材の容器を提供すること。【解決手段】    密封された細長い管状容器内に収納された液体が端部から滲出するのを防止して、外周側に設けられた開け予定手段と、容器の端部から所定距離を隔てて空気体室を形成する粘性を有する振動吸収部材とを含む容器であって、前記振動吸収部材は、液体を移動する時に発生された圧力を前記空気室に伝えて圧力を抑止し、開け予定手段により容器を開けた時、振動吸収部材は容器内へ液体が流入かる量と容器外へ流出する量を制御する。【特許請求の範囲】
【請求項１】
細く長い管状容器の中に、密封された二つの端部を有して、端部内に収納された液体が端部から滲出することを防止して、また外周側に設けられる、少なくとも一つまたは多くの開け予定手段と、
粘性を有して、容器の中に挿入されて、容器の端部との所定距離を保持して、このようにして、空気体室になって、前記空気室と液体を仕切る振動吸収付き密封材とを含んでいる流動制御及び振動吸収付き密封材の容器であって、
前記振動吸収部材は、液体を移動する時に発生された圧力をかかられて、前記圧力を前記空気室に伝送させて、空気室内の空気を介して、圧力を抑止して、一つまたは多くの開け予定手段に容器を開けられる時、前記振動吸収部材が容器内へ液体の流入の流量と容器外へ液体の流出の流量を制御することができることを特徴とする、
流動制御及び振動吸収付き密封材の容器。
【請求項２】
前記容器の内に、二つの振動吸収密封材を挿入することができて、前記振動吸収密封材と容器の両端部に所定距離を保持して、容器の両端部にも、空気室になって、液体を二つの振動吸収密封材の間に入れて、液体を容器いずれの一端の空気室と仕切らせていることを特徴とする、請求項１記載の流動制御及び振動吸収付き密封材の容器。
【請求項３】
前記容器端部は、加圧された環境中に密封されて、加圧された空気室になっていることを特徴とする請求項１記載の流動制御及び振動吸収付き密封材の容器。
【請求項４】
前記容器端部は、加圧された環境中に密封されて、加圧された空気室になっていることを特徴とする請求項２記載の流動制御及び振動吸収付き密封材の容器。
【請求項５】
細く長い管状容器の中に、負圧を有して、前記容器の両端部を密封されて、負圧を保持させて、また外周側に設けられる、少なくとも一つまたは多くの開け予定手段と、
粘性が有して、前記容器の中に挿入されて、前記容器を二つの空気室に仕切る振動吸収密封材とを含んでいる流動制御及び振動吸収付き密封材の容器であって、
その中に、前記振動吸収密封材は、前記空気室の間の仕切りを保持し、また前記容器の一端部が開け予定手段箇所に開けられた時、容器の他端部にある真空が前記容器の開け端にあるいずれの液体を吸い出して、前記液体は遅延予定してから、前記容器の中に入れて、また前記容器の他端部が再び開けられた時、収集された液体が所定遅延してから、流量制御の下で容器外へ流れ出すことを特徴とする流動制御及び振動吸収付き密封材の容器。
【発明の詳細な説明】
【技術分野】
【０００１】
本発明は、液体を運搬する過程中に、液体の流動を制御して、液体の振動を吸収する流動制御及び振動吸収密封材付き容器に関するものである。
【背景技術】
【０００２】
容器の中に液体を収納するとき、容器を運送する過程中に、その容器は液体の滲出を防止する機能を有する必要があり、且つ、容器を開けやすいことが必要であり、容器内の中味を容易に取り出すことができるようになる。
【０００３】
しかしながら、従来の容器を運搬する過程中に、その容器内の液体は振動がかかられて、また振動による圧力によって、容器が破裂すること及び/又は液体が容器から滲出することを発生する可能性がある。なお、容器が開けられて、容器内の中味を取り出しようとする時、容器内から容器外へ中味の流量を制御することができない。従来、容器内から容器外へ流れ出す液体に対して、予め流量を経済的に又は精確良く設定しておく方法がないと言える。
【発明の開示】
【発明が解決しようとする課題】
【０００４】
本発明はこのような事情に鑑みてなされたものであって、主に、流量を経済的に又は精度良く制御する、流動制御及び振動吸収密封材付き容器を提供することを目的とする。
本発明は、主に、容器に加圧させて、容器内の液体を引き出して、流動制御及び振動吸収密封材付き容器を提供することを目的とする。
本発明は、流動制御及び振動吸収密封材付き容器である。主に、容器を運搬する過程中に、容器内の液体に伝送される振動を吸収し、液体の滲出を防止し、且つ、容器内の液体と空気室を仕切りすることを保持して、及び容器からの流量を効率良く制御する。本発明は経済的にパーフォーマンス（performance）を有して、また、容器からの流量を精確良く制御する。本発明も容器に加圧させることによって、容器内の液体を流れ出されることができる。
【課題を解決するための手段】
【０００５】
本発明は、流動制御及び振動吸収密封材付き容器である。主に、容器を運送する過程中に、容器内の液体に伝送される振動を吸収し、液体の滲出を防止し、且つ、容器内の液体と気体室を仕切りすることを保持して、及び容器から流れ出す流動レートを効率良く制御する。本発明は経済的にパーフォーマンス（performance）を有して、容器から流れ出す流動レートを精確良く制御する。本発明も容器に圧力を加えることによって、容器内の液体を容易に引き出すことができる。
すなわち、本願の第１発明に係る流動制御及び振動吸収付き密封材の容器は、細く長い管状容器の中に、密封された二つの端部を有して、端部内に収納された液体が端部から滲出することを防止して、また外周側に設けられる、少なくとも一つまたは多くの開け予定手段と、粘性を有して、容器の中に挿入されて、容器の端部との所定距離を保持して、このようにして、空気体室になって、前記空気室と液体を仕切る振動吸収付き密封材とを含んでいる流動制御及び振動吸収付き密封材の容器であって、前記振動吸収部材は、液体を移動する時に発生された圧力をかかられて、前記圧力を前記空気室に伝送させて、空気室内の空気を介して、圧力を抑止して、一つまたは多くの開け予定手段に容器を開けられる時、前記振動吸収部材が容器内へ液体の流入の流量と容器外へ液体の流出の流量を制御することができることを特徴とするものである。
本願の第２発明に係る前記容器の内に、二つの振動吸収密封材を挿入することができて、前記振動吸収密封材と容器の両端部に所定距離を保持して、容器の両端部にも、空気室になって、液体を二つの振動吸収密封材の間に入れて、液体を容器いずれの一端の空気室と仕切らせていることを特徴とするものである。
本願の第３発明に係る流動制御及び振動吸収付き密封材の容器は、前記した第１発明において、前記容器端部は、加圧された環境中に密封されて、加圧された空気室になっていることを特徴とするものである。
本願の第４発明に係る流動制御及び振動吸収付き密封材の容器は、前記した第２発明において、前記容器端部は、加圧された環境中に密封されて、加圧された空気室になっていることを特徴とするものである。
本願の第５発明に係る流動制御及び振動吸収付き密封材の容器は、細く長い管状容器の中に、負圧を有して、前記容器の両端部を密封されて、負圧を保持させて、また外周側に設けられる、少なくとも一つまたは多くの開け予定手段と、
粘性が有して、前記容器の中に挿入されて、前記容器を二つの空気室に仕切る振動吸収密封材とを含んでいる流動制御及び振動吸収付き密封材の容器であって、その中に、前記振動吸収密封材は、前記空気室の間の仕切りを保持し、また前記容器の一端部が開け予定手段箇所に開けられた時、容器の他端部にある真空が前記容器の開け端にあるいずれの液体を吸い出して、前記液体は遅延予定してから、前記容器の中に入れて、また前記容器の他端部が再び開けられた時、収集された液体が所定遅延してから、流量制御の下で容器外へ流れ出すことを特徴とするものである。
【発明の効果】
【０００６】
本発明に提供された流動制御及び振動吸収付き密封材の容器は、従来他の技術に比べて、下記の長所がある。
本発明は、容器からの流量を経済的に又は精確良く制御することができる。
本発明は、容器に加圧させて、容器に収納された液体を流出させることができる。
【発明を実施するための最良の形態】
【０００７】
以下、本発明の流動制御及び振動吸収密封材付き容器について、図面を参照しながら説明する。
図1には、流動制御及び振動吸収密封材付き容器の最適な具体例を示す。主に、細く長い管状容器を含んでいます。その細く長い管状容器は二つの密部の端部４、５を有して、且つ、その細く長い管状容器の中に、振動吸収密封材１を挿入されて、その振動吸収密封材１は容器の端部４に近接して、その端部４と所定距離を保持して、空気室３が形成されるように、且つ、その細く長い管状容器の端部５と振動吸収密封材１との間に、必要な液体２を局部性的に充填して、液体２として、例えば、医療薬剤、嗽薬、薄荷、又は他の何れか化学薬剤などがある。振動吸収密封材１の仕切りを介して、液体２と空気室３とは仕切りされて、端部４，５の密部を介して、容器に充填された液体２が滲出することができなくて、また容器の近接端部５の外周側に、開け予定手段６を設けて、その開け予定手段６が刻痕であり、容器を折れ易くて、容器が開けられてから、液体２を引き出させて、容器外へいく。
【０００８】
その細く長い管状容器を運送する過程中に、その振動吸収密封材は液体２の流動を阻止して、空気室３に掛かられた圧力を伝送して、空気室３を介して、分散された圧力によって、さらに液体による振動を抑止して、空気室３と液体２とのアイソレーションを保持する。容器から液体２を取り出しようとする時、容器上の開け予定手段６である刻痕を折れると、容器が開けられている。一旦容器が開けられると、その液体２は容器の開ロ端部５に貼り付けたユーザー用の口部から、空気を吸って、真空力が発生させて、容器から吸い出されている。
【０００９】
その細く長い管状容器は通常空気圧力より高い環境で密封されて、加圧空気室３を生成させている。液体２は圧縮することができない。空気室３にある空気が加圧されて、密封された時、加圧環境の圧力と同じ圧力まで加圧される。振動吸収密封材１は空気室３と液体２とを仕切りして、また振動吸収密封材も掛かられた圧力を空気室３へ伝送されて、空気室の空気を介して、運送期間に発生された振動を抑止する。その容器の両端部４、５が密封されて、従って、液体２が滲出することができない。その開け予定手段６が容器の外周側の箇所に刻まれて、液体２部分の開け予定手段６を折れられて、容器が開けられている。
【００１０】
運送過程中に、振動吸収密封材は液体２の流動を阻止して、空気室にかかられた圧力を伝送されて、空気室の空気で、圧力を分散させて、液体による振動を抑止して、液体２に対するアイソレーションを保持する。容器から液体２を取り出しようとする時、容器上の開け予定手段６の刻痕を折れられると、容器が開けられている。一旦容器が開けられると、液体２は空気の圧力、振動吸収密封材１の粘度及び長さに決めた流量に応じて、空気室３中の空気の圧力で、無理やりに容器から流れ出させている。
【００１１】
仮に、振動吸収密封材１は粘度より高い及び/又は長さより長い時、液体２は遅延予定してから、及び制御された下で、より遅い流量で、容器から流れ出されることができる。
【００１２】
仮に、振動吸収密封材１は粘度より低い及び/又は長さより短い時、直ぐに速い流量の下で、液体２が容器から流れ出されることができる。
【００１３】
流れ出された液体２の流量は、内部に充填された容器にある開け予定手段６の端部５を折れられることによって決めている。内部に充填された液体２の端部５は、容器が折れられてから、開けられた時、液体２が容器の中にそのまま保持して、それは液体２が端部５に密封されて、且つ、大気圧力で、容器内の液体２の流れ出すことを防止するためのである。
【００１４】
図２には、流動制御及び振動吸収密封材付き容器の別の具体例を示す。その細く長い管状容器には二つの密封の端部４、５を有して、且つ、その細く長い管状容器の中に、振動吸収密封材１、１１を挿入されて、その振動吸収密封材１、１１は容器の両端部４、５に近接して、その端部４、５と共に所定距離を保持することによって、空気室７、８が形成されて、その空気室の中に、空気を収納して、且つ、その細く長い管状容器内の振動吸収密封材１、１１の間に、必要な液体２を局部性的に充填して、液体２として、例えば、医療薬剤、嗽薬、薄荷、又は他の何れか化学薬剤などがある。振動吸収密封材１、１１の仕切りを介して、液体２と空気室７、８とはアイソレーションされることによって、液体２と空気室７、８とは仕切りされて、端部４、５の密封を介して、容器に充填された液体２が滲出することができなくて、また容器の近接端部４、５の外周側に、開け予定手段９，１０を設けて、その開け予定手段９、１０が刻痕であり、容器を容易に折れて、容器が開けられている。
【００１５】
運搬過程中に、その振動吸収密封材１、１１は液体２の流動を阻止して、空気室７、８に掛かられた圧力を伝送されて、空気室の空気を介して、圧力を分散させることによって液体による振動を抑止して、空気室７、８と液体２とのアイソレーションを安定に保持する。容器から液体２を取り出しようとする時、容器上の開け予定手段６の刻痕を折れられると、容器が開けられている。一旦容器の端部４、６が開けられると、その液体２は空気の圧力、振動吸収密封材１、１１の粘度及び長さに決められた流量に応じて、空気室８、９中の空気の圧力で、無理やりに容器から流れ出させている。
【００１６】
仮に、振動吸収密封材１、１１は粘度より高い及び/又は長さより長い時、その液体２は遅延予定してから、及び制御された下で、より遅い流量で、容器から流れ出されることができる。
【００１７】
仮に、振動吸収密封材１、１１は粘度より低い及び/又は長さより短い時、直ぐに速い流量の下で、液体２が容器から流れ出されることができる。
【００１８】
なお、その液体２が浪費されなくて又は滲出されなく、それは容器両端部の開口が空気室７、８箇所にあり、且つ振動吸収密封材１、１１の間にその液体２が収納されて、容器の両端部４、５が開けられた時、液体２は本体の自重で無理やりに、流路に振動吸収密封材１又は１１を通過する。
【００１９】
容器が通常大気圧力より高い環境下で密封されて、空気室７、８が形成されている。液体２は圧縮することができない。空気室７、８にある空気が加圧されて、密封された時、加圧された環境の圧力と同じ圧力まで。それは、容器の両端部４、５に空気室７、８を設けて、液体２が容器の中間に保持されて、その振動吸収密封材は空気室７、８と液体２の仕切りを保持することによって、その振動吸収密封材は圧力を空気室７、８中の空気箇所へ伝送されたことによって、運搬過程中に発生された振動を抑止できるようになっている。
【００２０】
容器から液体２を取り出しようとする時、その容器の両端部４、５の何れの開口が開けられたことができる。一旦容器の一端が開けられていると、容器の中に、未開された端部の空気室７又は８中の空気圧力によって、無理やりに液体２が遅延予定後の予定流量の下で容器から離れている。その液体２は振動吸収密封材1、11の粘度及び長さによって決められた流量の下で、容器から流れ出されている。
【００２１】
図3には、流動制御及び振動吸収付き密封材の別の具体例を示す。主に、その細く長い管状容器には二つの密封端部４、５を有して、且つ、その細く長い管状容器の中に、振動吸収密封材１２を挿入されて、容器はその両端部４、５から開けられたことができる。容器の両端部４、５箇所に、空気室１３、１４が形成されて、その振動吸収密封材１２を介して、その空気室１３、１４を仕切られれている。容器の両端部４、５が局部的な真空又は負圧環境中に密封されている。容器の両端部４、５が密封されてから、空気室１３、１４が局部的なバ真空又は負圧になっている。容器の外周側に予定位置１５、１６を設けけられて、その開け予定手段１５、１６が刻痕であるように、容器を容易に折れて、空気室１３、１４にある予定位置１５、１６個所に容器が開けられている。
【００２２】
作成できあげた容器は液体のサンプルを収集することを容易に使用されている。その容器を使用して、収集されたものとして、例えば、唾液又は人体の液体など、医療検診のサンプルとするものだある。容器の上にある複数の刻痕に決められた多くの開け予定手段の一つを折れられて、容器を開けられることによって、端部４が密封されているので、一旦端部４が開けられると、容器の他端部５の空気室１４中の真空力は、遅延予定してから、振動吸収密封材１２を徐徐に移動して、そのまま密封された端部５へ向いて移動して、十分な時間を持たせて、収集しようとする液体を容器に吸入されている。その振動吸収密封材１２の移動によって、容器の開けられた端部４に、真空を発生するはずであり、真空力によって、液体を吸入して、容器に収納されて、液体を容器に保持されている。収集された液体は容器から取り出しようとする時、密封端５に設けられた開け予定手段１６を折れられて，容器が開けられて、空気が空気室１４に入れることができるように、空気室１４中の局部な真空又は負圧を釣り合いっている。大気空気が空気室１４に入れてから、収集された液体２が遅延予定してから、容器内から容器外へ徐徐に流れ出している。
【００２３】
なお、収集された液体２が振動吸収密封材１２の粘度及び長さに決められた流量に応じて、容器内へ流れ入れているか、又は容器内から流れ出されている。
【００２４】
仮に、振動吸収密封材１２は粘度より高い及び/又は長さより長い時、その収集された液体が遅延予定してから、及び制御された下で、より遅い流量で、容器内へ流れ入れているか、又は容器内から流れ出されている。
【００２５】
仮に、振動吸収密封材１２は粘度より低い及び/又は長さより短い時、その収集された液体が直ぐに速い流量の下で、容器内へ流れ入れているか、又は容器内から流れ出されている。
上記の詳細説明は、本発明の具体実施例の一つについて説明したものである。但し，本発明はこれに限定されるものではなく、本発明の実施例と変形例を逸脱しない部分は、本発明の記載の一部とする。
【図面の簡単な説明】
【００２６】
【図１】本発明の容器の端部４に挿入された流動制御及び振動吸収付き密封材1であり，容器は液体２を収納する端部５だけが開けられたことを示す。
【図２】本発明の容器の二つの端部４、５に挿入された流動制御及び振動吸収付き密封材1、１１であり，容器は端部４、５のいずれかが開けられたことを示す。
【図３】本発明の容器に挿入された流動制御及び振動吸収付き密封材1２であり，容器は二つの空気室１３，１４に仕切られて、容器は端部４、５のいずれかが開けられたことを示す。
【符号の説明】
【００２７】
１  振動吸収密封材
２  液体
３  空気室
４  端部
５  端部
６  開け予定手段
７  空気室
８  空気室
９  開け予定手段
１０  開け予定手段
１１  振動吸収密封材
１２  振動吸収密封材
１３  空気室
１４  空気室
１５  開け予定手段
１６  開け予定手段
【図１】
2005519820.tif 000002
【図２】
2005519820.tif 000003
【図３】
2005519820.tif 000004
【国際調査報告】
2005519820.tif 000005